(57)【要約】【課題】２枚撮りで得られた画像を含む複数の画像をより多く表示することを可能とする画像表示装置、画像表示方法、及び画像表示プログラムを提供する。【解決手段】異なる撮影条件で所定の時間内に同一被写体を連続的に撮影して得られた２つの画像データである２枚組画像データを含む画像データが記憶された記憶手段と、記憶された画像データを読み込む読み込み手段と、読み込まれた画像データが示す画像を所定の大きさで表示する表示手段と、２枚組画像データが示す画像を表示する場合には、２枚組画像データが示す２つの画像の各々から、画像内の一部の画像である部分画像を取得し、取得した２つの部分画像を並べた画像である２枚組画像を所定の大きさに収まるように表示するように制御し、２枚組画像データ以外の画像データが示す画像を表示する場合には、画像を所定の大きさに収まるように表示するように制御する制御手段と、を有する。【選択図】図７
2009017384.tif 000002
【特許請求の範囲】
【請求項１】
異なる撮影条件で所定の時間内に同一被写体を連続的に撮影して得られた２つの画像データである２枚組画像データを含む画像データが記憶された記憶手段と、
前記記憶手段により記憶された画像データを読み込む読み込み手段と、
前記読み込み手段により読み込まれた画像データが示す画像を所定の大きさで表示する表示手段と、
前記表示手段により前記２枚組画像データが示す画像を表示する場合には、該２枚組画像データが示す２つの画像の各々から、画像内の一部の画像である部分画像を取得し、取得した２つの部分画像を並べた画像である２枚組画像を前記所定の大きさに収まるように表示するように制御し、前記２枚組画像データ以外の画像データが示す画像を表示する場合には、該画像を前記所定の大きさに収まるように表示するように制御する制御手段と、
を有する画像表示装置。
【請求項２】
前記表示手段により表示された２枚組画像が示す２つの部分画像のいずれか一方の部分画像を選択する第１の選択手段と、
前記第１の選択手段により選択された部分画像に対応する画像データに対して所定の操作を行う第１の操作手段と、
を更に有する請求項１に記載の画像表示装置。
【請求項３】
前記第１の操作手段により前記画像データに対して行われる所定の操作は、該画像データが示す画像全体を表示する操作、及び該画像データを削除する操作のうちの少なくとも一つの操作である請求項２に記載の画像表示装置。
【請求項４】
前記表示手段により表示された２枚組画像を１つの画像として選択する第２の選択手段と、
前記第２の選択手段により選択された２枚組画像に対応する２つの画像データに対して所定の操作を行う第２の操作手段と、
を更に有する請求項１〜請求項３のいずれか１項に記載の画像表示装置。
【請求項５】
前記第２の操作手段により前記２つの画像データに対して行われる所定の操作は、該２つの画像データを削除する操作である請求項４に記載の画像表示装置。
【請求項６】
異なる撮影条件で所定の時間内に同一被写体を連続的に撮影して得られた２つの画像データである２枚組画像データを含む画像データが記憶された記憶手段により記憶された画像データを読み込む読み込み段階と、
前記読み込み段階により読み込まれた画像データが示す画像を所定の大きさで表示する表示手段により前記２枚組画像データが示す画像を表示する場合には、該２枚組画像データが示す２つの画像の各々から、画像内の一部の画像である部分画像を取得し、取得した２つの部分画像を並べた画像である２枚組画像を前記所定の大きさに収まるように表示するように制御し、前記２枚組画像データ以外の画像データが示す画像を表示する場合には、該画像を前記所定の大きさに収まるように表示するように制御する制御段階と、
を有する画像表示方法。
【請求項７】
異なる撮影条件で所定の時間内に同一被写体を連続的に撮影して得られた２つの画像データである２枚組画像データを含む画像データが記憶された記憶手段により記憶された画像データを読み込む読み込みステップと、
前記読み込みステップにより読み込まれた画像データが示す画像を所定の大きさで表示する表示手段により前記２枚組画像データが示す画像を表示する場合には、該２枚組画像データが示す２つの画像の各々から、画像内の一部の画像である部分画像を取得し、取得した２つの部分画像を並べた画像である２枚組画像を前記所定の大きさに収まるように表示するように制御し、前記２枚組画像データ以外の画像データが示す画像を表示する場合には、該画像を前記所定の大きさに収まるように表示するように制御する制御ステップと、
を有する画像表示処理をコンピュータで実行させる画像表示プログラム。
【発明の詳細な説明】
【技術分野】
【０００１】
本発明は、画像表示装置、画像表示方法、及び画像表示プログラムに関し、２枚撮りで得られた２つの画像の表示に好適な画像表示装置、画像表示方法、及び画像表示プログラムに関する。
【背景技術】
【０００２】
従来より、撮影の失敗を回避するために、撮影条件を変えて所定時間内に同一被写体を連続的に撮影すること（いわゆる２枚撮り）が可能なカメラがある。２度の撮影における撮影条件は、フラッシュを用いる撮影条件とフラッシュを用いない撮影条件であり、この場合、２つの画像データが得られることとなる。
【０００３】
このような技術に関連して、特許文献１には、同一シーンを異なる撮影条件で撮影し、画像合成を目的にグループ管理をする技術が開示されている。
【０００４】
また、撮影した画像のサムネイルを表示可能なカメラもあり、このようなサムネイル表示はパソコンなどでも可能となっている。この技術に関連して、特許文献２では、異なる露出条件で撮影された複数の画像を表示する装置が開示されている。
【特許文献１】特開２００５−２１７８７４号公報
【特許文献２】特開２００２−１５２５７９号公報
【発明の開示】
【発明が解決しようとする課題】
【０００５】
カメラやパソコンのディスプレイでの表示領域で行われるサムネイル表示は、複数の画像を同時に表示する一覧表示であるため、上述したような２枚撮りで得られた画像は２つ表示されることとなり、表示領域を圧迫する原因となる。
【０００６】
このように従来の技術では、２枚撮りで得られた画像により、多くの画像を表示できないという問題点があった。
【０００７】
本発明は上記問題点に鑑み、２枚撮りで得られた画像を含む複数の画像をより多く表示することを可能とする画像表示装置、画像表示方法、及び画像表示プログラムを提供することを目的とする。
【課題を解決するための手段】
【０００８】
上記目的を達成するために請求項１の発明は、異なる撮影条件で所定の時間内に同一被写体を連続的に撮影して得られた２つの画像データである２枚組画像データを含む画像データが記憶された記憶手段と、前記記憶手段により記憶された画像データを読み込む読み込み手段と、前記読み込み手段により読み込まれた画像データが示す画像を所定の大きさで表示する表示手段と、前記表示手段により前記２枚組画像データが示す画像を表示する場合には、該２枚組画像データが示す２つの画像の各々から、画像内の一部の画像である部分画像を取得し、取得した２つの部分画像を並べた画像である２枚組画像を前記所定の大きさに収まるように表示するように制御し、前記２枚組画像データ以外の画像データが示す画像を表示する場合には、該画像を前記所定の大きさに収まるように表示するように制御する制御手段と、を有する。
【０００９】
ここで、請求項１の発明では、記憶手段により異なる撮影条件で所定の時間内に同一被写体を連続的に撮影して得られた２つの画像データである２枚組画像データを含む画像データが記憶され、読み込み手段により前記記憶手段により記憶された画像データを読み込み、表示手段が前記読み込み手段により読み込まれた画像データが示す画像を所定の大きさで表示し、制御手段が前記表示手段により前記２枚組画像データが示す画像を表示する場合には、該２枚組画像データが示す２つの画像の各々から、画像内の一部の画像である部分画像を取得し、取得した２つの部分画像を並べた画像である２枚組画像を前記所定の大きさに収まるように表示するように制御し、前記２枚組画像データ以外の画像データが示す画像を表示する場合には、該画像を前記所定の大きさに収まるように表示するように制御することにより、２枚撮りで得られた画像が１つ分の画像として表示されるので、連続的に撮影して得られた２つの画像データが示す画像を含む複数の画像をより多く表示することを可能とすることができる。
【００１０】
また、本発明は、請求項２の発明のように、前記表示手段により表示された２枚組画像が示す２つの部分画像のいずれか一方の部分画像を選択する第１の選択手段と、前記第１の選択手段により選択された部分画像に対応する画像データに対して所定の操作を行う第１の操作手段と、を更に有するようにしても良い。
【００１１】
請求項２の発明によれば、各部分画像に対して所定の操作を行うことができるため、部分画像に対する操作を簡単にできるようになる。
【００１２】
また、請求項２の発明は、請求項３の発明のように、前記第１の操作手段により前記画像データに対して行われる所定の操作は、画像データが示す画像全体を表示する操作、及び画像データを削除する操作のうちの少なくとも一つの操作であるようにしても良い。
【００１３】
請求項３の発明によれば、所定の操作として画像全体を表示する操作、及び該画像データを削除する操作のうちの少なくとも一つの操作とすることができる。
【００１４】
また、本発明は、請求項４の発明のように、前記表示手段により表示された２枚組画像を１つの画像として選択する第２の選択手段と、前記第２の選択手段により選択された２枚組画像に対応する２つの画像データに対して所定の操作を行う第２の操作手段と、を更に有するようにしても良い。
【００１５】
請求項４の発明によれば、１つの画像としてユーザが選択できるので２つの画像データに対する操作を一度に行うことができる。
【００１６】
また、請求項４の発明は、請求項５の発明のように、前記第２の操作手段により前記２つの画像データに対して行われる所定の操作は、該２つの画像データを削除する操作であるようにしても良い。
【００１７】
請求項５の発明によれば、所定の操作として画像データを削除する操作とすることができる。
【００１８】
請求項６の発明は、異なる撮影条件で所定の時間内に同一被写体を連続的に撮影して得られた２つの画像データである２枚組画像データを含む画像データが記憶された記憶手段により記憶された画像データを読み込む読み込み段階と、前記読み込み段階により読み込まれた画像データが示す画像を所定の大きさで表示する表示手段により前記２枚組画像データが示す画像を表示する場合には、該２枚組画像データが示す２つの画像の各々から、画像内の一部の画像である部分画像を取得し、取得した２つの部分画像を並べた画像である２枚組画像を前記所定の大きさに収まるように表示するように制御し、前記２枚組画像データ以外の画像データが示す画像を表示する場合には、該画像を前記所定の大きさに収まるように表示するように制御する制御段階と、を有する。
【００１９】
請求項６の発明は、請求項１の発明と同様に作用するので、請求項１の発明と同様の効果が得られる。
【００２０】
請求項７の発明は、異なる撮影条件で所定の時間内に同一被写体を連続的に撮影して得られた２つの画像データである２枚組画像データを含む画像データが記憶された記憶手段により記憶された画像データを読み込む読み込みステップと、前記読み込みステップにより読み込まれた画像データが示す画像を所定の大きさで表示する表示手段により前記２枚組画像データが示す画像を表示する場合には、該２枚組画像データが示す２つの画像の各々から、画像内の一部の画像である部分画像を取得し、取得した２つの部分画像を並べた画像である２枚組画像を前記所定の大きさに収まるように表示するように制御し、前記２枚組画像データ以外の画像データが示す画像を表示する場合には、該画像を前記所定の大きさに収まるように表示するように制御する制御ステップと、を有する画像表示処理をコンピュータで実行させる画像表示プログラムである。
【００２１】
請求項７の発明は、請求項１の発明と同様に作用するので、請求項１の発明と同様の効果が得られる。
【発明の効果】
【００２２】
本発明によれば、２枚撮りで得られた画像を含む複数の画像をより多く表示することを可能とする画像表示装置、画像表示方法、及び画像表示プログラムを提供することができるという効果が得られる。
【発明を実施するための最良の形態】
【００２３】
以下、図面を参照して、本発明の実施の形態について詳細に説明する。なお、本実施の形態に係る画像表示装置は、ＣＰＵ（Central Processing Unit）などの演算処理装置、ＲＡＭ（Random Access Memory）やＨＤＤ（Hard Disk Drive）などの記憶装置、ＬＣＤ（Liquid Crystal Display）などの表示装置を備えるものであれば適用することができる。従って、本実施の形態では、画像表示装置をデジタルカメラとパソコンに適用した実施例について説明する。
【００２４】
最初に図１を参照して、本実施の形態に係るデジタルカメラ１０の外観上の構成を説明する。デジタルカメラ１０の正面には、被写体像を結像させるための光学部材であるレンズ２１と、撮影する被写体の構図を決定するために用いられるファインダ２０と、ストロボ４４と、が備えられている。また、デジタルカメラ１０の上面には、撮影を実行する際に押圧操作されるレリーズボタン（所謂シャッターボタン）５６Ａと、電源スイッチ５６Ｂと、が備えられている。
【００２５】
なお、本実施の形態に係るデジタルカメラ１０のレリーズボタン５６Ａは、中間位置まで押下される状態（以下、「半押し状態」という。）と、当該中間位置を超えた最終押下位置まで押下される状態（以下、「全押し状態」という。）と、の２段階の押圧操作が検出可能に構成されている。
【００２６】
そして、デジタルカメラ１０では、レリーズボタン５６Ａを半押し状態にすることにより被写体の明るさが測光され、測光された被写体の明るさに基づきＡＥ（Automatic Exposure、自動露出）機能が働いて露出状態（シャッタースピード、及び絞りの状態）が設定された後、ＡＦ（Auto Focus、自動合焦）機能が働いて合焦制御され、その後、引き続き全押し状態にすると露光（撮影）が行われる。
【００２７】
一方、デジタルカメラ１０の背面には、前述のファインダ２０の接眼部と、撮影された被写体像やメニュー画面等を表示するための上記ＬＣＤ３８と、撮影を行うモードである撮影モード及び撮影によって得られた被写体像をＬＣＤ３８に再生表示するモードである再生モードの何れかのモードに設定する際にスライド操作されるモード切替スイッチ５６Ｃと、が備えられている。
【００２８】
また、デジタルカメラ１０の背面には、十字カーソルボタン５６Ｄと、撮影時にストロボ４４を強制的に発光させるモードである強制発光モードを設定する際に押圧操作される強制発光スイッチ５６Ｅと、が更に備えられている。
【００２９】
なお、十字カーソルボタン５６Ｄは、ＬＣＤ３８の表示領域における上・下・左・右の４方向の移動方向を示す４つの矢印キーと、それら矢印キーの中央に存在する決定キーとを含んで構成されている。
【００３０】
次に、図２を参照して、本実施の形態に係るデジタルカメラ１０の電気系の構成を説明する。
【００３１】
デジタルカメラ１０は、前述のレンズ２１を含んで構成された光学ユニット２２と、レンズ２１の光軸後方に配設された電荷結合素子（以下、「ＣＣＤ」という。）２４と、入力されたアナログ信号に対して各種のアナログ信号処理を行うアナログ信号処理部２６と、を含んで構成されている。
【００３２】
また、デジタルカメラ１０は、入力されたアナログ信号をデジタルデータに変換するアナログ／デジタル変換器（以下、「ＡＤＣ」という。）２８と、入力されたデジタルデータに対して各種のデジタル信号処理を行うデジタル信号処理部３０と、を含んで構成されている。
【００３３】
なお、デジタル信号処理部３０は、所定容量のラインバッファを内蔵し、入力されたデジタルデータを後述するメモリ４８の所定領域に直接記憶させる制御も行う。
【００３４】
ＣＣＤ２４の出力端はアナログ信号処理部２６の入力端に、アナログ信号処理部２６の出力端はＡＤＣ２８の入力端に、ＡＤＣ２８の出力端はデジタル信号処理部３０の入力端に、各々接続されている。従って、ＣＣＤ２４から出力された被写体像を示すアナログ信号はアナログ信号処理部２６によって所定のアナログ信号処理が施され、ＡＤＣ２８によってデジタル画像データに変換された後にデジタル信号処理部３０に入力される。
【００３５】
一方、デジタルカメラ１０は、被写体像やメニュー画面等をＬＣＤ３８に表示させるための信号を生成してＬＣＤ３８に供給するＬＣＤインタフェース３６と、デジタルカメラ１０全体の動作を司るＣＰＵ４０と、撮影により得られたデジタル画像データ等を記憶するメモリ４８と、メモリ４８に対するアクセスの制御を行うメモリインタフェース４６と、を含んで構成されている。
【００３６】
更に、デジタルカメラ１０は、可搬型のメモリカード５２をデジタルカメラ１０でアクセス可能とするための外部メモリインタフェース５０と、デジタル画像データに対する圧縮処理及び伸長処理を行う圧縮・伸長処理回路５４と、を含んで構成されている。
【００３７】
なお、本実施の形態のデジタルカメラ１０では、メモリ４８としてＶＲＡＭ（Video RAM）、ＳＲＡＭ又はＤＲＡＭ、フラッシュメモリのうちのいずれか１つ以上が用いられ、メモリカード５２としてスマートメディア（Smart Media(登録商標)）が用いられている。
【００３８】
デジタル信号処理部３０、ＬＣＤインタフェース３６、ＣＰＵ４０、メモリインタフェース４６、外部メモリインタフェース５０、及び圧縮・伸長処理回路５４はシステムバスＢＵＳを介して相互に接続されている。従って、ＣＰＵ４０は、デジタル信号処理部３０の作動の制御、圧縮・伸長処理回路５４の作動の制御、ＬＣＤ３８に対するＬＣＤインタフェース３６を介した各種情報の表示、メモリ４８及びメモリカード５２へのメモリインタフェース４６、及び外部メモリインタフェース５０を介したアクセスを各々行うことができる。
【００３９】
一方、デジタルカメラ１０には、主としてＣＣＤ２４を駆動させるためのタイミング信号を生成してＣＣＤ２４に供給するタイミングジェネレータ３２が備えられており、ＣＣＤ２４の駆動はＣＰＵ４０によりタイミングジェネレータ３２を介して制御される。
【００４０】
更に、デジタルカメラ１０にはモータ駆動部３４が備えられており、光学ユニット２２に備えられた図示しない焦点調整モータ、ズームモータ及び絞り駆動モータの駆動もＣＰＵ４０によりモータ駆動部３４を介して制御される。
【００４１】
すなわち、本実施の形態に係るレンズ２１は複数枚のレンズを有し、焦点距離の変更（変倍）が可能なズームレンズとして構成されており、図示しないレンズ駆動機構を備えている。このレンズ駆動機構に上記焦点調整モータ、ズームモータ、及び絞り駆動モータは含まれるものであり、これらのモータは各々ＣＰＵ４０の制御によりモータ駆動部３４から供給された駆動信号によって駆動される。
【００４２】
更に、前述のレリーズボタン５６Ａ、電源スイッチ５６Ｂ、モード切替スイッチ５６Ｃ、十字カーソルボタン５６Ｄ、及び強制発光スイッチ５６Ｅ（同図では、「操作部５６」と総称。）はＣＰＵ４０に接続されており、ＣＰＵ４０は、これらの操作部５６に対する操作状態を常時把握できる。
【００４３】
また、デジタルカメラ１０には、ストロボ４４とＣＰＵ４０との間に介在されると共に、ＣＰＵ４０の制御によりストロボ４４を発光させるための電力を充電する充電部４２が備えられている。更に、ストロボ４４はＣＰＵ４０にも接続されており、ストロボ４４の発光はＣＰＵ４０によって制御される。
【００４４】
次に、本実施の形態に係るデジタルカメラ１０の撮影時における全体的な動作について簡単に説明する。
【００４５】
まず、ＣＣＤ２４は、光学ユニット２２を介した撮影を行い、被写体像を示すＲ（赤）、Ｇ（緑）、Ｂ（青）毎のアナログ信号をアナログ信号処理部２６に順次出力する。アナログ信号処理部２６は、ＣＣＤ２４から入力されたアナログ信号に対して相関二重サンプリング処理等のアナログ信号処理を施した後にＡＤＣ２８に順次出力する。
【００４６】
ＡＤＣ２８は、アナログ信号処理部２６から入力されたＲ、Ｇ、Ｂ毎のアナログ信号を各々１２ビットのＲ、Ｇ、Ｂの信号（デジタル画像データ）に変換してデジタル信号処理部３０に順次出力する。デジタル信号処理部３０は、内蔵しているラインバッファにＡＤＣ２８から順次入力されるデジタル画像データを蓄積して一旦メモリ４８の所定領域に直接格納する。
【００４７】
メモリ４８の所定領域に格納されたデジタル画像データは、ＣＰＵ４０による制御に応じてデジタル信号処理部３０により読み出され、所定の物理量に応じたデジタルゲインをかけることでホワイトバランス調整を行なうと共に、ガンマ処理及びシャープネス処理を行なって所定ビット、例えば８ビットのデジタル画像データを生成する。
【００４８】
そして、デジタル信号処理部３０は、生成した所定ビットのデジタル画像データに対しＹＣ信号処理を施して輝度信号Ｙとクロマ信号Ｃｒ、Ｃｂ（以下、「ＹＣ信号」という。）を生成し、ＹＣ信号をメモリ４８の上記所定領域とは異なる領域に格納する。
【００４９】
なお、ＬＣＤ３８は、ＣＣＤ２４による連続的な撮影によって得られた動画像（スルー画像）を表示してファインダとして使用することができるものとして構成されており、ＬＣＤ３８をファインダとして使用する場合には、生成したＹＣ信号を、ＬＣＤインタフェース３６を介して順次ＬＣＤ３８に出力する。これによってＬＣＤ３８にスルー画像が表示されることになる。
【００５０】
ここで、レリーズボタン５６Ａがユーザによって半押し状態とされた場合、前述のようにＡＥ機能が働いて露出状態が設定された後、ＡＦ機能が働いて合焦制御され、その後、引き続き全押し状態とされた場合、この時点でメモリ４８に格納されているＹＣ信号を、圧縮・伸長処理回路５４によって所定の圧縮形式（本実施の形態では、ＪＰＥＧ形式）で圧縮した後に外部メモリインタフェース５０を介してメモリカード５２に記録する。
【００５１】
以上説明したデジタルカメラ１０において、２枚撮りを行う場合の動作は、撮影を２回連続して行う動作である。
【００５２】
次に、図３を用いて、パソコン６０の構成について説明する。パソコン６０は、ＣＰＵ６２と、ＨＤＤ（Hard Disk Drive）６４と、ＲＡＭ６６と、ネットワークＩ／Ｆ部６８と、ＲＯＭ７０と、表示部７２と、操作入力部７４と、バス７６とを含む。
【００５３】
ＣＰＵ６２は、パソコン６０の全体の動作を司るものであり、パソコン６０に搭載されたプログラムは、ＣＰＵ６２により実行される。ＨＤＤ６４は、画像データや各種プログラム、ＯＳなどが記憶される不揮発性の記憶装置である。
【００５４】
ＲＡＭ６６はＯＳやプログラムやデータが展開される揮発性の記憶装置である。ネットワークＩ／Ｆ部６８は、ネットワークに接続するためのものであり、ＮＩＣやそのドライバで構成される。ネットワークに接続しない場合は、このネットワークＩ／Ｆ部６８は不要である。ＲＯＭ７０は、パソコン６０の起動時に動作するブートプログラムなどが記憶されている不揮発性の記憶装置である。表示部７２は、パソコン６０に関する情報をユーザに表示するものである。操作入力部７４は、ユーザがパソコン６０の操作や情報を入力する際に用いられるものである。バス７６は、情報のやりとりが行われる際に使用される。
【００５５】
以下、画像表示装置で行われる処理について説明するが、この説明では上記パソコン６０を例にした場合について説明する。デジタルカメラ１０を例にする場合には、以下の説明で用いられるＣＰＵ６２、ＨＤＤ６４、ＲＡＭ６６、表示部７２、及び操作入力部７４を、それぞれＣＰＵ４０、メモリカード５２、メモリ４８、ＬＣＤ３８、及び操作部５６に読み替える。なお、メモリカード５２に代えて、メモリ４８のフラッシュメモリとしても良い。
【００５６】
また、以下の説明で用いられる２枚組画像データとは、異なる撮影条件で所定の時間内に同一被写体を連続的に撮影して得られた２つの画像データを示している。そして、本実施の形態では、撮影条件として、フラッシュを用いる条件（以下、フラッシュありと記す）と、フラッシュを用いない条件（以下、フラッシュなしと記す）の２つの異なる条件を例にして説明する。また、撮影条件を変えて所定時間内に同一被写体を連続的に撮影することを２枚撮りと表現する。
【００５７】
なお、異なる撮影条件は、上記フラッシュありなしに限らず、例えば異なる２種類の絞り値で撮影する条件など、他の撮影条件であっても良い。
【００５８】
まず、図４を用いて、２枚組画像データが示す２つの画像の各々から、画像内の一部の画像である部分画像を取得し、取得した２つの部分画像を並べた画像である２枚組画像を所定の大きさに収まるように表示する場合の表示例について説明する。
【００５９】
図４には、フラッシュありの画像と、フラッシュなしの画像が示されている。また同図には、２つの画像の各々に、画像内の一部の画像である部分画像が示されている。このように取得された部分画像を、同図に示されるように並べ、サムネイル表示する場合に表示される所定の大きさに収まるように表示する。
【００６０】
このようにすることにより、２枚撮りで得られた画像が１つ分の画像として表示されるので、２枚撮りで得られた画像を含む複数の画像をより多く表示することが可能である。また、サムネイル表示では画像が小さく表示されるため、２つの画像を個々に表示すると、どの画像の組が２枚撮り画像なのかが分かりにくいが、並べて表示することで組となる画像が分かりやすくなる。
【００６１】
図４に示される部分画像の例では、同一の範囲（画像の中央付近）の部分画像が取得されている。これに限らず、例えば図５に示されるように、画像Ａでは部分画像として左半分の画像Ａ'を取得し、画像Ｂでは部分画像として右半分の画像Ｂ'を取得して、それらを並べて表示するようにしても良い。
【００６２】
このように異なる範囲の部分画像の他に、同一の範囲であっても、中央付近ではなく、図６に示されるように、画像Ａ、画像Ｂともに上半分の画像Ａ'、画像Ｂ'を取得して、それらを縦に並べて表示するようにしても良い。
【００６３】
更に、顔認識技術を用いて、顔が認識された範囲を部分画像として取得するようにしても良い。
【００６４】
また、並べて表示する２枚組画像の大きさは、サムネイル表示する場合に表示する所定の大きさに収まる大きさであればよい。
【００６５】
上記表示例に示した表示を行う表示処理を、図７のフローチャートを用いて説明する。このフローチャートに限らず、以下で説明するフローチャートは、ＣＰＵ６２により実行される処理を示している。また、画像データには、撮影日時及び２枚撮りした際の１枚目か２枚目を示す情報が記録可能な例えばExif（Exchangeable Image File Format）フォーマットが用いられる。
【００６６】
まず、ステップ１０１で、画像データを撮影順に並べる。画像データは、ＨＤＤ６４に記憶されている。次のステップ１０２で、撮影順に並べた画像データを撮影日時が古い順にＨＤＤ６４からＲＡＭ６６に１つ読み込む。次のステップ１０３で、２枚撮り画像データの１枚目か否か判断する。ステップ１０３で否定判断した場合には、ステップ１０８で、その画像データが示す画像を所定の大きさに収まるように表示し、ステップ１０９へ処理が進む。
【００６７】
一方、ステップ１０３で肯定判断した場合には、ステップ１０４で次の画像データを読み込む。次のステップ１０５で、読み込んだ画像データが、２枚撮り画像データの２枚目の画像データか否か判断する。ステップ１０５で否定判断した場合には、上記ステップ１０８へ処理が進む。
【００６８】
一方、ステップ１０５で肯定判断した場合には、ステップ１０６で１枚目と２枚目の撮影日時が所定の時間内か否か判断する。この判断の意味について説明する。例えば２枚撮り画像データＡ１、Ａ２と２枚撮り画像データＢ１、Ｂ２のうち、画像データＡ２と画像データＢ１とが削除されていた場合には、異なる２枚撮り画像データの１枚目Ａ１と２枚目Ｂ２が存在することとなる。この場合、並べて表示しても意味はないため、ステップ１０５だけでは誤った判断をする可能性がある。従って、２枚撮りに要する時間である所定の時間（例えば１秒）内に２枚とも撮影されたか否かを判断することで、上述したような誤った判断を回避することが可能となる。
【００６９】
このステップ１０６で否定判断した場合には、上記ステップ１０８へ処理が進む。ステップ１０６で肯定判断した場合には、ステップ１０７で、２つの画像の各々から部分画像を取得し、取得した２つの部分画像を並べた２枚組画像を所定の大きさに収まるように表示する。
【００７０】
そして、ステップ１０９で次の画像データがあるか否か判断し、肯定判断した場合には、再びステップ１０２の処理に戻り、否定判断した場合には、処理を終了する。
【００７１】
次に、図８を用いて、表示部７２により表示された２枚組画像が示す２つの部分画像のいずれか一方の部分画像を選択し、選択された部分画像に対応する画像データに対して所定の操作を行う場合の表示例について説明する。
【００７２】
図８には、サムネイル表示と、２枚組画像と、操作メニューと、画像全体を表示した画像全体表示とが示されている。この画像全体表示とは、画像全体をサムネイル表示における所定の大きさで表示するのではなく、それよりも大きく表示するものである。
【００７３】
サムネイル表示されている２枚組画像が示す部分画像のいずれか一方がユーザにより選択可能となっている。選択するためには、例えば操作入力部７４のマウスなどのポインティングデバイスや、カーソル移動し、それを確定するためのエンターキーなどを用いることによりユーザがいずれか一方を選択することができる。
【００７４】
ユーザが選択すると、同図に示されるように、操作メニューが表示される。本実施の形態における所定の操作は、操作メニューに示されるように、画像データが示す画像全体を表示する操作を示す「画像全体表示」と画像データを削除する操作を示す「削除」の２つの操作があるが、これらに限定されるものではなく、画像データに対する他の操作（例えば移動、コピー等）を含むようにしても良い。
【００７５】
同図では、操作メニューの「画像全体表示」をユーザが入力した場合の例が示されている。右側の部分画像を選択した場合には、フラッシュありの部分画像に対応する画像が全体表示され、左側の部分画像を選択した場合には、フラッシュなしの部分画像に対応する画像が全体表示される。なお、部分画像に対応する画像とは、部分画像を取得した元の画像を意味する。
【００７６】
このように各部分画像に対して操作メニューを表示することにより、部分画像を取得した元の画像に対する操作を簡単にできるようになる。特に、フラッシュありなしの場合は、ユーザがいずれか一方を削除する可能性が高い。そのため、各部分画像毎に操作可能であることはユーザにとって使い勝手が良いものといえる。また、「画像全体表示」を入力することにより画像全体を表示できるため、より詳細に画像を比較することが可能となる。
【００７７】
上記表示例に示した表示を行う部分画像操作処理を、図９のフローチャートを用いて説明する。まず、ステップ２０１で、２枚組画像が選択されているか否か判断する。このステップ２０１で否定判断した場合には、２枚組画像以外の通常の画像が選択されているため、ステップ２０３で選択された画像に対応する画像データを操作対象とし、ステップ２０６へ処理が進む。
【００７８】
ステップ２０１で肯定判断した場合には、ステップ２０２で、左側の画像が選択されているか否か判断する。ステップ２０２で肯定判断した場合には、ステップ２０４で、左側の画像に対応する画像データを操作対象とする。一方、ステップ２０２で否定判断した場合には、ステップ２０５で、右側の画像に対応する画像データを操作対象とする。
【００７９】
次のステップ２０６で上述した操作メニューを表示し、ステップ２０７でユーザによる操作の入力待ちとなる。ここでの操作とは、画像データに対する操作をしないというキャンセル操作も含む。ユーザにより操作が入力されると、ステップ２０８で入力された操作（画像全体表示、削除、キャンセル）を行い、処理を終了する。
【００８０】
次に、図１０を用いて、表示部７２により表示された２枚組画像を１つの画像として選択し、選択された２枚組画像に対応する２つの画像データに対して所定の操作を行う場合の表示例について説明する。
【００８１】
同図には、サムネイル表示と、操作メニューと、２枚組画像とが示されている。また、２枚組画像の下には、そのファイル名が反転して示されている。ここでの反転とは、サムネイル表示に示されるように、通常は黒文字でファイル名が表示されるところ、選択されていることを示すために、白抜きで表示することをいう。
【００８２】
このように、サムネイル表示されている２枚組画像を１つの画像としてユーザにより選択可能となっている。選択するためには、例えば操作入力部７４のマウスなどのポインティングデバイスや、カーソル移動し、それを確定するためのエンターキーなどを用いることによりユーザが画像を選択することができる。
【００８３】
ユーザが選択すると、同図に示されるように、操作メニューが表示される。本実施の形態における所定の操作は、操作メニューに示されるように、画像データを削除する操作を示す「削除」の操作があるが、これらに限定されるものではなく、画像データに対する他の操作（例えば移動、コピー等）を含むようにしても良い。
【００８４】
この操作メニューでユーザが削除を入力すると、２枚組画像に対応する２つの画像データが削除される。このように、１つの画像としてユーザが選択でき、一度の入力で２つの画像データに対する操作を行えることは、ユーザにとって使い勝手が良いものといえる。なお、２枚組画像に対応する２つの画像データとは、２枚組画像の２つの部分画像を取得した元の画像を示す２つの画像データを意味する。また、上記２枚組画像のファイル名は、２枚組画像に対応する２つの画像データのファイル名がそれぞれ「DSCF0001.jpg」「DSCF0002.jpg」の場合には、共通する文字列「DSCF」を残して「DSCF0001_0002.jpg」などとするようにしても良い。
【００８５】
上記表示例に示した全体画像操作処理を、図１１のフローチャートを用いて説明する。まず、ステップ３０１で、２枚組画像のファイル名が選択されているか否か判断する。このステップ３０１で否定判断した場合には、２枚組画像以外の通常の画像が選択されているため、ステップ３０３で選択された画像に対応する画像データを操作対象とし、ステップ３０４へ処理が進む。
【００８６】
ステップ３０１で肯定判断した場合には、ステップ３０２で、２枚組画像に対応する２つの画像データを操作対象とする。次のステップ３０４で上述した操作メニューを表示し、ステップ３０５でユーザによる操作の入力待ちとなる。ここでの操作とは、画像データに対する操作をしないというキャンセル操作も含む。ユーザにより操作が入力されると、ステップ３０６で入力された操作（削除、キャンセル）を行い、処理を終了する。
【００８７】
以上説明した各フローチャートの処理の流れは一例であり、本発明の主旨を逸脱しない範囲内で処理順序を入れ替えたり、新たなステップを追加したり、不要なステップを削除したりすることができることは言うまでもない。
【図面の簡単な説明】
【００８８】
【図１】本実施の形態に係るデジタルカメラの外観上の構成を示す図である。
【図２】本実施の形態に係るデジタルカメラの電気系の構成を示す図である。
【図３】本実施の形態に係るパソコンの構成を示す図である。
【図４】２枚組画像の表示例を示す図である。
【図５】部分画像例を示す図である（その１）。
【図６】部分画像例を示す図である（その２）。
【図７】表示処理を示すフローチャートである。
【図８】部分画像に対応する画像データに対して所定の操作を行う場合の表示例を示す図である。
【図９】部分画像操作処理を示すフローチャートである。
【図１０】２枚組画像に対応する２つの画像データに対して所定の操作を行う場合の表示例を示す図である。
【図１１】全体画像操作処理を示すフローチャートである。
【符号の説明】
【００８９】
１０  デジタルカメラ
３８  ＬＣＤ
４０、６２  ＣＰＵ
４８  メモリ
５２  メモリカード
５６  操作部
６０  パソコン
６４  ＨＤＤ
７２  表示部
７４  操作入力部
【図１】
2009017384.tif 000003
【図２】
2009017384.tif 000004
【図３】
2009017384.tif 000005
【図５】
2009017384.tif 000006
【図６】
2009017384.tif 000007
【図７】
2009017384.tif 000008
【図９】
2009017384.tif 000009
【図１１】
2009017384.tif 000010
【図４】
2009017384.tif 000011
【図８】
2009017384.tif 000012
【図１０】
2009017384.tif 000013